(57)【要約】  ＣＤＭＡチャネルを経てエンコード化媒体を送信及び受信するための方法及び装置。複数のスピーチフレームが媒体コーデックにより出力され、そして複数のエンコードされた媒体フレームが第１タイプのパケットへとカプセル化される。第１タイプのパケットは、第２タイプのデータグラムへとカプセル化される。第２タイプのデータグラムは、第３タイプのデータグラムへとカプセル化される。第３タイプのデータグラムは、複数の等しいサイズの断片へ分割され、等しいサイズの断片の各々が特定のＣＤＭＡチャネルフレームに適合されるようにする。ＣＤＭＡチャネルフレームの各々は、ＣＤＭＡエアインターフェイスを経て送信され、そしてＣＤＭＡエアインターフェイスを経て受信端で受信される。
2008503953.tif 000002
【特許請求の範囲】
【請求項１】
ＣＤＭＡチャネルを経てエンコード化媒体を送信する方法において、
媒体コーデックにより出力された複数のエンコード化媒体フレームを得、そしてその複数のエンコード化媒体フレームを第１タイプのパケットへとカプセル化するステップと、
前記第１タイプのパケットを第２タイプのパケットへとカプセル化するステップと、
前記第２タイプのパケットを第３タイプのパケットへとカプセル化するステップと、
前記第３タイプのパケットを分割して、前記第３タイプのパケットを、複数のＣＤＭＡチャネルフレームを経て送信できるようにするステップと、
前記第３タイプのパケットを、ＣＤＭＡエアインターフェイスを経て送信するステップと、
を含む方法。
【請求項２】
前記媒体コーデックは、スピーチコーデックである、請求項１に記載の方法。
【請求項３】
前記第１タイプのパケットは、ＡＭＲ  ＲＴＰパケットである、請求項２に記載の方法。
【請求項４】
前記第２タイプのパケットは、ＵＤＰパケットである、請求項２に記載の方法。
【請求項５】
前記第３タイプのパケットは、ＩＰパケットである、請求項２に記載の方法。
【請求項６】
前記パケットを分割する前に、前記第３タイプのパケットを第４タイプのパケットへとカプセル化するステップを更に含む、請求項１に記載の方法。
【請求項７】
前記第４タイプのパケットは、ＣＤＭＡサービスオプション３３チャネルを経て送信されるＰＰＰパケットである、請求項１に記載の方法。
【請求項８】
前記ＣＤＭＡエアインターフェイスを経て前記ＣＤＭＡチャネルフレームを受け取るステップと、
前記ＣＤＭＡチャネルフレーム内のデータをカプセル解除して、前記複数のスピーチフレームでスピーチデータを得るステップと、
を更に含む請求項１に記載の方法。
【請求項９】
８個のスピーチフレームが１つのＡＭＲ  ＲＴＰパケットへとカプセル化される、請求項１に記載の方法。
【請求項１０】
前記エンコード化媒体フレームは、プッシュ・ツー・トークスピーチを含む、請求項１に記載の方法。
【請求項１１】
媒体コーデックにより出力された複数のエンコード化媒体フレームを得るための入力手段と、
前記複数のエンコード化媒体フレームを第１タイプのパケットへとカプセル化するための第１カプセル化手段と、
前記第１タイプのパケットを第２タイプのパケットへとカプセル化するための第２カプセル化手段と、
前記第２タイプのパケットを第３タイプのパケットへとカプセル化するための第３カプセル化手段と、
前記第３タイプのパケットを分割し、前記第３タイプのパケットを、ＣＤＭＡエアインターフェイスの複数のＣＤＭＡチャネルフレームを経て送信できるようにする分割手段と、
前記第３タイプのパケットを、ＣＤＭＡエアインターフェイスを経て、複数のＣＤＭＡチャネルフレームで出力するための出力手段と、
を備えた装置。
【請求項１２】
前記媒体コーデックは、ＡＭＲスピーチコーデックである、請求項１１に記載の装置。
【請求項１３】
前記第１タイプのパケットは、ＡＭＲ  ＲＴＰパケットである、請求項１１に記載の装置。
【請求項１４】
前記第２タイプのパケットは、ＵＤＰデータグラムである、請求項１１に記載の装置。
【請求項１５】
前記第３タイプのパケットは、ＩＰパケットである、請求項１１に記載の装置。
【請求項１６】
前記パケットを分割する前に、前記第３タイプのパケットを第４タイプのパケットへとカプセル化することを含む、請求項１１に記載の装置。
【請求項１７】
前記第４タイプのパケットは、ＣＤＭＡサービスオプション３３チャネルを経て送信されるＰＰＰパケットである、請求項１６に記載の装置。
【請求項１８】
前記ＣＤＭＡエアインターフェイスを経て前記ＣＤＭＡチャネルフレームを受け取るための受信手段と、
前記ＣＤＭＡチャネルフレーム内のデータをカプセル解除して、前記複数のスピーチフレームでスピーチデータを得るためのカプセル解除手段と、
を更に備えた請求項１１に記載の装置。
【請求項１９】
複数のスピーチフレームが１つのＡＭＲ  ＲＴＰパケットへとカプセル化される、請求項１１に記載の装置。
【請求項２０】
媒体コーデックにより出力された複数のエンコード化媒体フレームを受け取るように構成された入力ユニットと、
前記入力ユニットにより受け取られた前記複数のエンコード化媒体フレームを第１タイプのパケットへとカプセル化するように構成された第１カプセル化ユニットと、
前記第１タイプのパケットを第２タイプのパケットへとカプセル化するように構成された第２カプセル化ユニットと、
前記第２タイプのデータグラムを第３タイプのパケットへとカプセル化するように構成された第３カプセル化ユニットと、
前記第３タイプのパケットを分割し、前記第３タイプのパケットを、ＣＤＭＡエアインターフェイスの複数のフレームを経て出力できるように構成された分割ユニットと、
前記第３タイプのパケットを、ＣＤＭＡエアインターフェイスを経て、複数のフレームにより出力するように構成された出力ユニットと、
を備えた装置。
【請求項２１】
ＣＤＭＡチャネルを経てエンコード化媒体を受け取る方法において、
ＣＤＭＡエアインターフェイス上の複数のＣＤＭＡチャネルフレームからデータを受け取り、そしてそれら複数のＣＤＭＡチャネルフレームからのデータを第１タイプのパケットへと合成するステップと、
前記第１タイプのパケットを第２タイプのパケットへとカプセル解除するステップと、
前記第２タイプのデータグラムを第３タイプのパケットへとカプセル解除するステップと、
前記第３タイプのデータグラムを第４タイプのパケットへとカプセル解除するステップと、
前記第４タイプのデータパケットを第５タイプのパケットへとカプセル解除するステップと、
前記第５タイプのパケットのペイロード部分からデータを得て、前記ＣＤＭＡエアインターフェイスを経て送信されたスピーチを得るステップと、
を含む方法。
【請求項２２】
前記第１タイプのパケットは、ＰＰＰパケットである、請求項２１に記載の方法。
【請求項２３】
前記第２タイプのパケットは、ＩＰパケットである、請求項２２に記載の方法。
【請求項２４】
前記第３タイプのパケットは、ＵＤＰパケットである、請求項２３に記載の方法。
【請求項２５】
前記第４タイプのパケットは、ＲＴＰパケットである、請求項２４に記載の方法。
【請求項２６】
前記第５タイプのパケットは、ＡＲＭパケットである、請求項２５に記載の方法。
【請求項２７】
ＣＤＭＡチャネルを経てエンコード化媒体を受け取るための装置において、
ＣＤＭＡエアインターフェイス上の複数のＣＤＭＡチャネルフレームからのデータを受け取りそしてそれら複数のＣＤＭＡチャネルフレームからのデータを第１タイプのパケットへと結合するように構成された受信ユニットと、
前記第１タイプのパケットを第２タイプのパケットへとカプセル解除するように構成された第１カプセル解除ユニットと、
前記第２タイプのデータグラムを第３タイプのパケットへとカプセル解除するように構成された第２カプセル解除ユニットと、
前記第３タイプのデータグラムを第４タイプのパケットへとカプセル解除するように構成された第３カプセル解除ユニットと、
前記第４タイプのデータグラムを第５タイプのパケットへとカプセル解除するように構成された第４カプセル解除ユニットと、
前記第５タイプのパケットのペイロード部分からデータを得て、前記ＣＤＭＡエアインターフェイスを経て送信されたエンコード化媒体を得るように構成されたデータ取得ユニットと、
を備えた装置。
【請求項２８】
前記第１タイプのパケットは、ＰＰＰパケットである、請求項２７に記載の装置。
【請求項２９】
前記第２タイプのパケットは、ＩＰパケットである、請求項２８に記載の装置。
【請求項３０】
前記第３タイプのパケットは、ＵＤＰパケットである、請求項２９に記載の装置。
【請求項３１】
前記第４タイプのパケットは、ＲＴＰパケットである、請求項３０に記載の装置。
【請求項３２】
前記第５タイプのパケットは、ＡＭＲパケットである、請求項３１に記載の装置。
【請求項３３】
非ネイティブな媒体コーデックからエアインターフェイスを経て情報を転送するためのシステムにおいて、
前記非ネイティブな媒体コーデックからデータ出力を受け取るための受信ユニットと、
前記非ネイティブな媒体コーデックからのデータ出力を前記エアインターフェイスに適合するフォーマットへとカプセル化するためのカプセル化ユニットと、
前記エアインターフェイスを経て前記カプセル化されたデータを送信するための送信ユニットと、
を備えたシステム。
【請求項３４】
前記エアインターフェイスは、ＣＤＭＡエアインターフェイスである、請求項３３に記載のシステム。
【請求項３５】
非ネイティブな媒体コーデックからエアインターフェイスを経て情報を転送するための方法において、
前記非ネイティブな媒体コーデックからのデータ出力を受け取るステップと、
前記非ネイティブな媒体コーデックからのデータ出力を前記エアインターフェイスに適合するフォーマットへとカプセル化するステップと、
前記エアインターフェイスを経て前記カプセル化されたデータを送信するステップと、
を含む方法。
【請求項３６】
前記エアインターフェイスは、ＣＤＭＡエアインターフェイスである、請求項３５に記載の方法。
【請求項３７】
前記非ネイティブな媒体コーデックは、ＡＭＲスピーチコーデックである、請求項３５に記載の方法。
【請求項３８】
ＣＤＭＡエアインターフェイスを経てエンコード化媒体の転送を与えるコンピュータプログラム製品において、
媒体コーデックにより出力された複数のエンコード化媒体フレームを得て、その複数のエンコード化媒体フレームを第１タイプのパケットへとカプセル化するためのコンピュータコードと、
前記第１タイプのパケットを第２タイプのパケットへとカプセル化するためのコンピュータコードと、
前記第２タイプのパケットを第３タイプのパケットへとカプセル化するためのコンピュータコードと、
前記第３タイプのパケットを分割して、前記第３タイプのパケットを、複数のＣＤＭＡチャネルフレームを経て送信できるようにするためのコンピュータコードと、
前記第３タイプのパケットを、前記ＣＤＭＡエアインターフェイスを経て送信するためのコンピュータコードと、
を備えたコンピュータプログラム製品。
【請求項３９】
ＣＤＭＡエアインターフェイスを経てエンコード化媒体の転送を与えるコンピュータプログラム製品において、
ＣＤＭＡエアインターフェイス上の複数のＣＤＭＡチャネルフレームからのデータを受け取りそしてそれら複数のＣＤＭＡチャネルフレームからのデータを第１タイプのパケットへと結合するためのコンピュータコードと、
前記第１タイプのパケットを第２タイプのパケットへとカプセル解除するためのコンピュータコードと、
前記第２タイプのデータグラムを第３タイプのパケットへとカプセル解除するためのコンピュータコードと、
前記第３タイプのデータグラムを第４タイプのパケットへとカプセル解除するためのコンピュータコードと、
前記第４タイプのデータグラムを第５タイプのパケットへとカプセル解除するためのコンピュータコードと、
前記第５タイプのパケットのペイロード部分からデータを得て、前記ＣＤＭＡエアインターフェイスを経て送信されたスピーチを得るためのコンピュータコードと、
を備えたコンピュータプログラム製品。
【請求項４０】
ＣＤＭＡチャネルを経てエンコード化媒体を送信するためのネットワーク要素において、
媒体コーデックにより出力された複数のエンコード化媒体フレームを得、そしてその複数のエンコード化媒体フレームを第１タイプのパケットへとカプセル化する手段と、
前記第１タイプのパケットを第２タイプのパケットへとカプセル化する手段と、
前記第２タイプのパケットを第３タイプのパケットへとカプセル化する手段と、
前記第３タイプのパケットを分割して、前記第３タイプのパケットを、複数のＣＤＭＡチャネルフレームを経て送信できるようにする手段と、
前記第３タイプのパケットを、ＣＤＭＡエアインターフェイスを経て送信する手段と、
を備えたネットワーク要素。
【発明の詳細な説明】
【技術分野】
【０００１】
本発明は、コード分割多重アクセス（ＣＤＭＡ）システムにおいて非ネイティブなＣＤＭＡコーデックによって出力されるコード化データを送信及び受信することに係る。より詳細には、本発明は、ＣＤＭＡプッシュ・ツー・トーク(Push to Talk)システムにおける適応マルチレート（ＡＭＲ）スピーチコーデックシステム及び方法に係る。
【背景技術】
【０００２】
異なる形式のＣＤＭＡシステムが存在し、その各々が特定の規格に基づいている。例えば、１つの規格は、“TIA/EIA/IS95-B Mobile Station-Base Station Compatibility Standard for Dual-Mode Wideband Spread Spectrum Cellular System” と題するもので、ＩＳ−９５規格と称される。第三世代パートナーシッププロジェクトにより提供される別の規格は、次の規格：３ＧＴＳ２５．２１１、３ＧＴＳ２５．２１２、３ＧＴＳ２５．２１３、及び３ＧＴＳ２５．２１４をベースとするもので、Ｗ−ＣＤＭＡ規格と称される。第三世代パートナーシッププロジェクト２及びＴＲ−４５．５により提供される更に別の規格は、ＣＤＭＡ２０００規格として知られている（以前はＩＳ−２０００ＭＣとして知られていた）。
【０００３】
前記ＣＤＭＡ規格は、各々、順方向及び逆方向リンクに送信するためのデータの処理を定義する。この点について、媒体情報は、特定のデータレートでコード化され、特定のフレームフォーマットへとフォーマットされ、そして特定の処理方法に基づいて処理される。上述した異なる規格により使用されるフレームフォーマット及び処理は、通常、互いに異なるものである。
【０００４】
Ｗ−ＣＤＭＡ規格は、ＡＭＲスピーチコード化機構を定義するもので、ここでは、スピーチ情報が、多数の考えられるデータレートの１つに基づいてエンコードされると共に、コード化されたスピーチデータが、選択されたデータレートに基づく特定のフォーマットで与えられる。
【０００５】
例えば、特許公告ＷＯ０１／５２４６７号は、ＣＤＭＡ２０００通信システムにおいてＡＭＲコード化データをサポートするための技術を説明しており、ここでは、多数のＡＭＲモードが、スピーチ情報（種々のレートの）、サイレンス記述子（種々のタイプの）及びブランクフレームに対して定義される。
【０００６】
上述したようなＣＤＭＡシステムは、スピーチアプリケーションに対してネイティブなＣＤＭＡスピーチコーデック（コーダー／デコーダー）を使用する。ＥＶＲＣコード化データをサポートする従来のＣＤＭＡシステムでは、ＣＤＭＡシステムのチャネル構造は、ＣＤＭＡ内に他のタイプのスピーチコーデックを使用することを許さない。より詳細には、ＣＤＭＡシステムでは、会話又はストリーミングタイプのアプリケーションに対してＡＭＲが現在使用されていない。
【０００７】
又、エンハンスト可変レートコーダー（ＥＶＲＣ）スピーチコーデックを使用する従来のＣＤＭＡシステムでは、ＥＶＲＣスピーチコーデックからのスピーチ出力がＣＤＭＡエアインターフェイスを経て送信されて、受信端で受け取られ、これにより、ＥＶＲＣスピーチデータが検索されてユーザに対して再生される。しかしながら、このシステムは、ＥＶＲＣスピーチコーデックに特有のもので、他のスピーチデータのために拡張することができない。
【発明の開示】
【発明が解決しようとする課題】
【０００８】
従って、例えば、プッシュ・ツー・トーク（ＰｏＣ）アプリケーションに対して、ＣＤＭＡシステムにＡＭＲスピーチコーデックを使用できるようにすることが要望される。
【課題を解決するための手段】
【０００９】
本発明の１つの態様は、ＣＤＭＡインターフェイスを経てパケットデータトランスポートチャネル内でＡＭＲエンコード化スピーチを搬送するためのメカニズムを与えるために、ＡＭＲスピーチフレームをＣＤＭＡエアインターフェイスへとカプセル化することに向けられる。このようなシステムは、例えば、ＣＤＭＡプッシュ・ツー・トークのようなサービスに使用することができる。
【００１０】
簡単に述べると、１つの実施形態は、ＣＤＭＡチャネルを経てスピーチを送信する方法であって、媒体コーデックにより出力された複数のエンコード化媒体フレームを得、そしてその複数のエンコード化媒体フレームを第１タイプのパケットへとカプセル化するステップを備えた方法に係る。この方法は、又、第１タイプのパケットを第２タイプのパケットへとカプセル化するステップも備えている。更に、この方法は、第２タイプのパケットを第３タイプのパケットへとカプセル化するステップも備えている。更に、この方法は、第３タイプのパケットを複数の実質的に同じサイズの断片へと分割し、各断片が特定のＣＤＭＡチャネルフレームに適合するようにするステップも備えている。更に、この方法は、ＣＤＭＡエアインターフェイスを経てＣＤＭＡチャネルフレームの各々を送信するステップも備えている。
【００１１】
別の実施形態は、媒体コーデックにより出力された複数のエンコード化媒体フレームを得るための入力手段を備えた装置に係る。又、この装置は、その複数のスピーチフレームを第１タイプのパケットへとカプセル化するための第１カプセル化手段も備えている。更に、この装置は、第１タイプのパケットを第２タイプのパケットへとカプセル化するための第２カプセル化手段も備えている。更に、この装置は、第２タイプのパケットを第３タイプのパケットへとカプセル化するための第３カプセル化手段も備えている。更に、この装置は、第３タイプのパケットを複数の実質的に同じサイズの断片へと分割し、その同じサイズの各断片が特定のＣＤＭＡチャネルフレームに適合するようにする分割手段も備えている。更に、この装置は、ＣＤＭＡエアインターフェイスを経てＣＤＭＡチャネルフレームの各々を出力するための出力手段も備えている。
【００１２】
更に別の実施形態は、ＣＤＭＡチャネルを経てエンコード化媒体を受け取るための装置に係る。この装置は、ＣＤＭＡエアインターフェイスを経て複数のＣＤＭＡチャネルフレームからデータを受け取りそしてそれら複数のＣＤＭＡチャネルフレームからのデータを第１タイプのパケットへと結合するように構成された受信ユニットを備えている。又、この装置は、第１タイプのパケットを第２タイプのパケットへとカプセル解除(decapsulate)するように構成された第１カプセル解除ユニットも備えている。更に、この装置は、第２タイプのデータグラムを第３タイプのパケットへとカプセル解除するように構成された第２カプセル解除ユニットも備えている。更に、この装置は、第３タイプのデータグラムを第４タイプのパケットへとカプセル解除するように構成された第３カプセル解除ユニットも備えている。又、この装置は、第４タイプのデータグラムを第５タイプのパケットへとカプセル解除するように構成された第４カプセル解除ユニットも備えている。更に、この装置は、第５タイプのパケットのペイロード部分からデータを得て、ＣＤＭＡエアインターフェイスを経て送信されたエンコード化媒体を得るように構成されたデータ取得ユニットも備えている。
【００１３】
本発明の他の原理的特徴及び効果は、当業者であれば、添付図面、以下の詳細な説明、及び特許請求の範囲から明らかとなろう。
以下、添付図面を参照して、本発明の実施形態を説明する。
【発明を実施するための最良の形態】
【００１４】
本発明は、その第１実施形態によれば、ＣＤＭＡエアインターフェイスを経てパケットデータトランスポートチャネル内にＡＭＲエンコード化スピーチを搬送するためのシステム及び方法を提供する。本発明は、汎用ＩＰパケットデータトランスポートメカニズムを使用するときにはＣＤＭＡエアインターフェイスを経て任意のタイプのユーザデータを送信できるという効果を取り入れ、従って、第１実施形態は、このようにＣＤＭＡエアインターフェイスを経てＡＭＲエンコード化スピーチを送信する。
【００１５】
図１を参照すれば、本発明を利用できるシステム１０は、ネットワークを経て通信することのできる多数の通信装置で構成される。このシステム１０は、これに限定されないが、セルラー電話ネットワーク、ワイヤレスローカルエリアネットワーク（ＬＡＮ）、ブルーツースパーソナルエリアネットワーク、イーサネット（登録商標）ＬＡＮ、トークンリングＬＡＮ、ワイドエリアネットワーク、インターネット、等を含むワイヤード又はワイヤレスネットワークの組み合せで構成できる。システム１０は、ワイヤード及びワイヤレスの両通信装置を含んでもよい。例示のために、図１に示すシステム１０は、セルラー電話ネットワーク１１及びインターネット２８を備えている。インターネット２８への接続は、これに限定されないが、長距離ワイヤレス接続や、短距離ワイヤレス接続や、これに限定されないが、電話線、ケーブルライン、電力ライン等を含む種々のワイヤード接続を含んでもよい。
【００１６】
システム１０の例示的通信装置は、これに限定されないが、セルラー電話１２、組み合せＰＤＡ及びセルラー電話１４、ＰＤＡ１６、ＩＭＤ１８、デスクトップコンピュータ２０、及びノートブックコンピュータ２２を含んでもよい。これらの通信装置は、固定でもよいし、或いは移動する個人により携帯されるときには移動でもよい。又、これら通信装置は、これに限定されないが、自動車、トラック、タクシー、バス、ボート、航空機、自転車、オートバイ、等を含むある種の輸送手段に搭載されてもよい。これら通信装置の幾つか又は全部がコール及びメッセージを送信及び受信し、そしてベースステーション２４へのワイヤレス接続２５を経てサービスプロバイダーと通信する。ベースステーション２４は、セルラー電話ネットワーク１１とインターネット２８との間の通信を許すネットワークサーバー２６に接続することができる。システム１０は、付加的な通信装置、及び異なるタイプの通信装置を含んでもよい。
【００１７】
通信装置は、これに限定されないが、コード分割多重アクセス（ＣＤＭＡ）、移動通信用のグローバルシステム（ＧＳＭ）、ユニバーサル移動テレコミュニケーションシステム（ＵＭＴＳ）、時分割多重アクセス（ＴＤＭＡ）、送信制御プロトコル／インターネットプロトコル（ＴＣＰ／ＩＰ）、ショートメッセージサービス（ＳＭＳ）、マルチメディアメッセージングサービス（ＭＭＳ）、ｅメール、インスタントメッセージングサービス（ＩＭＳ）、ブルーツース、ＩＥＥＥ８０２．１１、等を含む種々の送信技術を使用して通信することができる。通信装置は、これに限定されないが、無線、赤外線、レーザ、ケーブル接続、等を含む種々の媒体を使用して通信することができる。
【００１８】
本発明の１つの考えられる実施形態は、通信装置（セルラー電話のような移動通信装置、或いはベースステーション、ルーター、リピーター等のネットワーク装置）の一部分としてである。図２に示す通信装置３０は、通信インターフェイス３４、メモリ３８、プロセッサ４０、アプリケーション４２、及びクロック４６を備えている。通信装置３０の厳密なアーキテクチャーは、重要ではない。通信装置３０の異なる及び付加的なコンポーネントを、通信装置３０及び／又はシステム１０に組み込むことができる。例えば、装置３０がセルラー電話の場合には、ディスプレイスクリーン及び入力インターフェイス、例えば、キーボード又はタッチスクリーンを含んでもよい。更に、装置３０は、図７に示す全てのコンポーネントを含む必要がない。
【００１９】
通信インターフェイス３４は、装置間で通信可能なコール、メッセージ、及び他の情報を受信及び送信するためのインターフェイスをなす。通信インターフェイス３４は、これに限定されないが、ＣＤＭＡ、ＧＳＭ、ＵＭＴＳ、ＴＤＭＡ、ＴＣＰ／ＩＰ、ＳＭＳ、ＭＭＳ、ｅメール、ＩＭＳ、ブルーツース、ＩＥＥＥ８０２．１１、等を含む種々の送信技術を使用して、装置へ及び装置からコンテンツを転送することができる。
【００２０】
メモリ３８は、コンピュータのプロセッサ４０により情報に迅速に到達できるように、オペレーティングシステム、アプリケーション４２、他のアプリケーション、データを電子的に保持する場所である。ターミナルは、これに限定されないが、ランダムアクセスメモリ（ＲＡＭ）、リードオンリメモリ（ＲＯＭ）、フラッシュメモリ等を含む異なるメモリ技術を使用して複数のメモリ３８をもつことができる。ＲＡＭのデータは、揮発性であり、これは、装置がオンにされている間しかデータが保持されないことを意味する。装置がオフに切り換えられると、ＲＡＭは、そのデータを失う。ＲＯＭに記憶された値は、装置がオンであるかどうかに関わらず、常にそこにある。このため、不揮発性メモリと称される。フラッシュメモリは、ブロックと称するメモリの単位で消去して再プログラムすることのできる一種の常時付勢される不揮発性メモリである。メモリは、キャッシュを含んでもよい。キャッシュは、これに限定されないが、高速メモリの専用バンク、又は性能を改善するために使用されるＲＯＭの予約区分を含んでもよい。キャッシュは、インストラクション及びデータのための一時的記憶エリアを与える。キャッシュは、不揮発性メモリにあってもよいし、なくてもよい。
【００２１】
アプリケーション４２は、実行時に、通信装置３０が所定の仕方で振舞うようにさせるインストラクションの編成されたセットである。アプリケーション４２は、これに限定されないが、ワードプロセッサアプリケーション、スプレッドシートアプリケーション、プレゼンテーションツールアプリケーション、ビデオプレーヤ／レコーダーアプリケーション、オーディオプレーヤ／レコーダーアプリケーション、イメージエディタ／ビューアアプリケーション、インターネットブラウザアプリケーション、ディレクトリファイルシステムブラウザアプリケーション、メッセージングアプリケーション、例えば、ｅメール、インスタントメッセージングアプリケーション、又はファクシミリアプリケーション、スケジューリングアプリケーション、コンタクトアプリケーション、等を含むことができる。インストラクションは、１つ以上のプログラミング言語、アッセンブリ言語、スクリプト言語、等を使用して書き込むことができる。
【００２２】
プロセッサ４０は、不揮発性メモリ又は永久メモリからアプリケーションのようなインストラクションのセットを検索し、そしてインストラクションを実行可能な形態で一時的メモリへコピーすることができる。一時的メモリは、一般に、ＲＡＭのある形態である。「実行」という用語は、アプリケーション又はユーティリティを動作させるか、又はインストラクションによりコールされたオペレーションを実施するプロセスである。プロセッサ４０は、アプリケーション又はユーティリティを実行し、これは、インストラクションセットによりコールされたオペレーションを遂行することを意味する。プロセッサ４０は、特殊目的のコンピュータ、ロジック回路、ハードウェア回路、等として具現化されてもよい。従って、プロセッサ４０は、ハードウェア、ファームウェア、ソフトウェア、又はこれら方法の組み合せで具現化されてもよい。
【００２３】
アプリケーション４２、オペレーティングシステム、及び他のアプリケーションは、同じプロセッサ４０により実行することができる。或いは又、アプリケーション４２、オペレーティングシステム、及び他のアプリケーションは、異なるプロセッサにより実行されてもよい。アプリケーション４２、オペレーティングシステム、及び他のアプリケーションは、これに限定されないが、高レベル言語、スクリプト言語、アッセンブリ言語、等を含む同じ又は異なるコンピュータ言語で書かれてもよい。
【００２４】
クロック４６は、装置３０のための現在時間ソースをなす。クロック４６は、プロセッサ４０から独立したものでもよいし、又はそれと一体的でもよい。
【００２５】
通常のスピーチチャネル及びボイスオーバーインターネットプロトコル（ＶｏＩＰ）をヘッダストリッピングと共に使用するときには、非ネイティブなスピーチコードをＣＤＭＡエアインターフェイスに使用することができない。本発明は、ＩＰデータグラムパケット転送機構を使用して（例えば、サービスオプション３３を使用して）、ＣＤＭＡエアインターフェイスを経て非ネイティブなＡＭＲスピーチコーデックを転送するためのフレーミングメカニズムを提供する。
【００２６】
次に、図３を参照して、本発明の第１実施形態を詳細に説明する。ステップ１００において、プッシュ・ツー・トークのようなアプリケーションは、あるモードのＡＭＲスピーチコーデックと共に動作して、所定のフレーム周期ごとに（例えば、２０ミリ秒ごとに）あるサイズのＡＭＲフレームを発生する。ステップ１１０において、所定数（Ｎ、但し、Ｎは整数）のＡＭＲフレームが収集され（コーデックによる出力として）、次いで、単一のＡＭＲ  ＲＴＰペイロードへとカプセル化される。例えば、これに限定されないが、Ｎ個のＡＭＲフレームが、当業者に知られたように、規格ＲＦＣ３２６７に基づいて１つのＡＭＲ  ＲＴＰペイロードへとカプセル化される。Ｎは、例えば、２から２０の整数でよい。
【００２７】
ステップ１２０において、ＡＭＲ  ＲＴＰペイロードがリアルタイムプロトコル（ＲＴＰ）パケットへとカプセル化される。ステップ１３０では、ＲＴＰパケットがユーザデータグラムプロトコル（ＵＤＰ）パケットへとカプセル化される。ステップ１４０では、ＵＤＰパケットがインターネットプロトコル（ＩＰ）パケットへとカプセル化される。ステップ１５０では、ＩＰパケットがポイント対ポイントプロトコル（ＰＰＰ）パケットへとカプセル化される。ステップ１６０では、ＰＰＰパケットが、特定のＣＤＭＡチャネルフレームに各々適合するＮ個の断片に分割される。例えば、これに限定されないが、Ｎ個の断片の各々は、サービスオプション３３を伴うＣＤＭＡ２０００レートセット１基本的チャネルフレームに適合する。サービスオプション３３は、ＣＤＭＡエアインターフェイスを経てＩＰデータグラムを搬送するためのＣＤＭＡ２０００メカニズムであり、良く知られた規格である。より詳細には、リンクレイヤサービスオプションは、ソースと行先との間でヘッダ除去（ＳＯ６０）又はヘッダ圧縮（ＳＯ６１）ＩＰ／ＵＤＰ／ＲＴＰパケットの転送を与えることにより一方向又は両方向音声通信を提供する。
【００２８】
ステップ１６０において、ＰＰＰパケットを含む各ＣＤＭＡフレームがＣＤＭＡ２０００エアインターフェイスを経て送信される。受信端では、ＰＰＰパケットが複数のＣＤＭＡフレームを経て受け取られ、パケットがカプセル解除され、そしてエンコードされたＡＭＲスピーチが得られる。より詳細には、カプセル解除は、ＰＰＰパケットからＡＭＲペイロードを得ることを含み、これにより、ＡＭＲペイロードは、ＡＭＲコーデックから出力されたＮ個のＡＭＲフレームに対応する。
【００２９】
上述したように、ＩＰデータグラムパケット転送機構を使用して、ＡＭＲスピーチコーデックのような非ネイティブなスピーチコーデックを、ＣＤＭＡエアインターフェイスを経て転送する。これは、ＡＭＲデータをＲＴＰデータグラムへカプセル化し、更に、ＲＴＰデータグラムをＩＰデータグラムへカプセル化し、ＣＤＭＡ２０００サービスオプション３３を経てＩＰデータグラムの標準的トランスポートを使用して、受信端でカプセル解除を遂行し、受信したＩＰデータグラムからＡＭＲデータを得ることにより行われる。
【００３０】
以下、図４を参照し、ＡＭＲデータをカプセル化するためのカプセル化機構について詳細に説明する。図４の上部には、８個の連続するＡＭＲ５．１５フレームが示されており、これらＡＭＲフレームは、全部で１６０ミリ秒のスピーチに対応する。ＡＭＲ５．１５フレームの各々は、５．１５ｋｂｐｓのスピーチに対応する（８個の現在ＡＭＲオペレーションモードがあり、モード０は、フレーム当たり４．７５ｋｂｐｓのスピーチを与え、そしてモード７は、フレーム当たり１２．２ｋｂｐｓのスピーチを与える）。８個のＡＭＲ５．１５フレームは、Ｈフィールド、テーブル・オブ・コンテンツ（ＴｏＣ）フィールド及びペイロードを有するＡＭＲパケットへと変換され、従って、ＡＭＲパケットペイロードは、８ｘ２０ミリ秒＝８２４ビット又は１０３オクテットのデータに対応する。ＡＭＲパケットは、ＡＭＲ  ＲＴＰパケットに変換され、従って、ＲＴＰフィールドがこの変換においてＡＭＲパケットに添付される。ＡＭＲ  ＲＴＰパケットは、１２２オクテットのデータに対応する。次いで、ＡＭＲ  ＲＴＰパケットがＵＤＰパケットに変換され、従って、ＵＤＰフィールドがこの変換においてＡＭＲ  ＲＴＰパケットに添付される。ＵＤＰパケットは、１５０オクテットのデータに対応する。次いで、ＵＤＰパケットは、ＩＰパケットに変換され、従って、ＩＰフィールド（図２にＩＰｖ４として示す）がＵＤＰパケットに添付される。ＩＰパケットは、１５５オクテットのデータに対応する。
【００３１】
次いで、ＩＰパケットがＰＰＰパケットに変換され、従って、ＰＰＰフィールドがＩＰパケットに添付される。ＰＰＰパケットは、１５５オクテットのデータに対応する。ＰＰＰパケットは、Ｎ個の断片に分割され、従って、ＰＰＰパケットのＮ個の断片の各々は、特定のＣＤＭＡチャネルフレーム、例えば、サービスオプション３３を伴うＣＤＭＡ２０００レートセット１基本的チャネルフレームに適合する。図２において、ＰＰＰパケットは、２０オクテット／フレームのＣＤＭＡチャネルに適合するように８個の断片に分割され、これらの断片は、このようにＣＤＭＡエアインターフェイスを経て送信される。
【００３２】
図５を参照すると、第１実施形態によりＡＭＲサーチを出力するためのスピーチカプセル化システムのブロック図が示されている。より詳細には、ＡＭＲパケットカプセル化ユニット３１０は、ＡＭＲコーデックにより出力されたＡＭＲフレームを受け取り（例えば、ＡＭＲコーデックとＡＭＲパケットカプセル化ユニット３１０との間のワイヤード又はワイヤレス接続を経て）、そしてこれらのＡＭＲフレームを１つのＡＭＲパケットへとカプセル化する。ＲＴＰパケットカプセル化ユニット３２０は、ＡＭＲパケットカプセル化ユニット３１０により出力されたＡＭＲパケットを受け取り、そしてＡＭＲパケットをＲＴＰパケットへとカプセル化する。ＵＤＰパケットカプセル化ユニット３３０は、ＲＴＰパケットカプセル化ユニット３２０により出力されたＲＴＰパケットを受け取り、そしてＲＴＰパケットをＵＤＰパケットへとカプセル化する。ＩＰパケットカプセル化ユニット３４０は、ＵＤＰパケットカプセル化ユニット３３０により出力されたＵＤＰパケットを受け取り、そしてＵＤＰパケットをＩＰパケットへとカプセル化する。ＰＰＰパケットカプセル化ユニット３５０は、ＩＰパケットカプセル化ユニット３４０により出力されたＩＰパケットを受け取り、そしてＩＰパケットをＰＰＰパケットへとカプセル化する。ＰＰＰパケットは、ＣＤＭＡエアインターフェイスを経て出力され、従って、１つのＰＰＰパケットが複数の連続するＣＤＭＡフレームを経て出力される。
【００３３】
本発明の第２実施形態によれば、ＣＤＭＡシステムの受信端において、ＰＰＰパケットが複数の連続するＣＤＭＡフレームを経て受け取られ、そして一緒に連結されて、ＰＰＰパケットを得る。その受信されたデータストリームからＰＰＰフィールド、ＩＰフィールド、ＵＤＰフィールド、及びＲＴＰフィールドが除去されて、ＡＭＲパケットを得る。このようにして得られたＡＭＲパケットから、ＡＭＲサーチの８個のフレームが得られ、ＣＤＭＡシステムの受信端において再生される。
【００３４】
より詳細には、図６を参照すれば、ＰＰＰパケットは、ステップ４１０において、ＣＤＭＡエアインターフェイスの複数の連続するＣＤＭＡフレームを経て受け取られる。ステップ４２０において、ＰＰＰパケットがＩＰパケットへとカプセル解除される。ステップ４３０において、ＩＰパケットがＵＤＰパケットへとカプセル解除される。ステップ４４０において、ＵＤＰパケットがＲＴＰパケットへとカプセル解除される。ステップ４５０において、ＲＴＰパケットがＡＭＲパケットへとカプセル解除される。ステップ４６０において、ＡＭＲデータ（ＡＭＲコーデックにより出力された）がＡＭＲパケットのＡＭＲペイロードから得られ、ＣＤＭＡシステムの受信端にプッシュ・ツー・トークデータを与える。
【００３５】
図７は、本発明の第２実施形態によるスピーチカプセル解除システムのブロック図である。ＰＰＰパケット取得ユニット５１０は、ＣＤＭＡエアインターフェイスを経てデータを受け取り、そして複数の連続するＣＤＭＡデータフレームから得られたデータを合成して、ＰＰＰパケットを得る。ＩＰパケットカプセル解除ユニット５２０は、ＰＰＰパケット取得ユニット５１０から出力されたＰＰＰパケットを受け取り、そしてＰＰＰパケットをカプセル解除して、ＩＰパケットを得る。ＵＤＰパケットカプセル解除ユニット５３０は、ＩＰパケットカプセル解除ユニット５２０から出力されたＩＰパケットを受け取り、そしてＩＰパケットをカプセル解除して、ＵＤＰパケットを得る。ＲＴＰパケットカプセル解除ユニット５４０は、ＵＤＰパケットカプセル解除ユニット５３０から出力されたＵＤＰパケットを受け取り、そしてＵＤＰパケットをカプセル解除して、ＲＴＰパケットを得る。ＡＭＲパケットカプセル解除ユニット５５０は、ＲＴＰパケットカプセル解除ユニット５４０から出力されたＲＴＰパケットを受け取り、そしてＲＴＰパケットをカプセル解除して、ＡＭＲパケットを得る。ＡＭＲデータ取得ユニット５６０は、ＡＭＲパケットカプセル解除ユニット５５０により出力されたＡＭＲパケットのＡＭＲペイロードフィールドからＡＭＲデータを検索し、ＡＭＲデータをＣＤＭＡシステムの受信側に与える。
【００３６】
本発明は、これに限定されないが、３ＧＰＰ２プッシュ・ツー・トークに非ネイティブなスピーチコーデックを使用することを含む多数の用途を有する。より詳細には、本発明は、ＩＰパケットへのコーデックコンテンツのカプセル化を使用することによりＣＤＭＡチャネルを経てコーデックコンテンツを転送することから適用可能である。１つの考えられる実施例は、サービスオプション３３を使用するＣＤＭＡ２０００システムのためのプッシュ・ツー・トーク（ＰＴＴ）・オーバー・セルラー（ＰｏＣ）に対するＡＭＲを使用することであるが、当業者であれば、本発明の範囲を逸脱せずに、他の考えられるシステムも使用できることが理解されよう。
【００３７】
又、上述したように、スピーチデータは、カプセル化された状態でＣＤＭＡエアインターフェイスを経て送信されるが、当業者であれば、本発明の範囲を逸脱せずに、他のタイプのデータを同様にカプセル化して送信できることが理解されよう。本発明の第３の実施形態では、スピーチデータに関して上述したように、ビデオデータ（例えば、圧縮されたビデオデータ）をＩＰパケットへとカプセル化することにより、エンコード化ビデオがＣＤＭＡエアインターフェイスを経て送信される。本発明の第４の実施形態では、第３の実施形態によるシステムを経て送信されたエンコード化ビデオがＣＤＭＡエアインターフェイスの受信端に受け取られ、そして複数のステップでカプセル解除されて、ＣＤＭＡデータフレームを経て送信された圧縮されたビデオデータを得る。
【００３８】
本発明は、ヘッダ圧縮を使用せず、且つＵＤＰパケットをＩＰパケットへ変換するためのＩＰバージョン４（ＩＰｖ４）で説明したが、本発明の範囲から逸脱せずに、他のＩＰバージョン規格を使用することもできる。更に、ヘッダ圧縮を使用してもよい。例えば、得られるＲＴＰ／ＵＤＰ／ＩＰｖ６データグラムに適用される更に別のヘッダ圧縮と結合されたカプセル化方法として、ＩＰｖ６を使用することができる。又、ＩＰバージョン及びヘッダ圧縮機構の他の組み合せを使用してもよい。
【００３９】
又、第１及び第２の実施形態に関して上述した４レベルのカプセル化を使用して、ＣＤＭＡエアインターフェイスを経てストリーミングコンテンツ（例えば、ストリーミングオーディオ）が送信される。ＰＰＰは、サービスオプション３３に使用される特定のパケットフォーマットであり、従って、基本的１Ｘ回路交換チャネル以外のチャネルを使用して、ＣＤＭＡ２００を経てＡＭＲデータの転送を行うべき場合には、ＰＰＰカプセル化を省略してもよい。
【００４０】
本発明では、ＣＤＭＡ２０００チャネルに対して仕立てられた媒体コーデックに代わって、一般的なＣＤＭＡ２０００ＩＰデータトランスポートオーバー・ジ・エア(over-the-air)を使用することにより、非ネイティブな媒体コーデック（会話又は会話に近いサービス）がＣＤＭＡ２０００システムに使用される。上述した実施例では、サービスオプション３３を伴うＰｏＣのためのＡＭＲが一般的なＣＤＭＡ  ＩＰデータトランスポートオーバー・ジ・エアを経て送信される。
【００４１】
以上の詳細な説明は、ＣＤＭＡシステムにおける非ネイティブなスピーチコーデックのための方法、装置及びシステムの実施形態について述べた。以上の説明において、説明上、本発明を充分理解するために特定の細部を述べた。しかしながら、当業者であれば、これらの特定の細部を伴わずに本発明を実施できることが明らかであろう。他の例では、実施形態の説明を容易にするために、構造及び装置をブロック図で示した。
【００４２】
図示して説明した実施形態は、現在、好ましいものであるが、これらの実施形態は、単なる例示に過ぎないことを理解されたい。他の実施形態は、例えば、同じオペレーションを遂行するための異なる技術を含んでもよい。本発明は、特定の実施形態に限定されず、特許請求の範囲及びその精神に包含される種々の変更、組み合せ及び置き換えへと拡張できる。例えば、第１及び第２の実施形態は、オーディオデータをエンコード及びデコードするためのＡＭＲコーデックに関して説明したが、本発明は、ＣＤＭＡシステムを経て送信及び受信される他の媒体（例えば、ビデオ）及び他のタイプのコーデック（媒体コーデック）に使用することもできる。
【図面の簡単な説明】
【００４３】
【図１】本発明によるシステムの概観図である。
【図２】本発明の実施形態によるネットワーク装置に対応する通信装置のブロック図である。
【図３】本発明の第１実施形態によりＣＤＭＡエアインターフェイスを経て送信されるべきスピーチデータをカプセル化する際に含まれるステップを示すフローチャートである。
【図４】本発明の第１実施形態によりＣＤＭＡエアインターフェイスを経てスピーチデータを送信できるようなスピーチデータのマルチカプセル化を示す図である。
【図５】本発明の第１の実施形態によりスピーチカプセル化システムを作り上げるコンポーネントを示す図である。
【図６】本発明の第２実施形態によりＣＤＭＡエアインターフェイスを経て受信されるスピーチデータをカプセル解除する際に含まれるステップを示すフローチャートである。
【図７】本発明の第２の実施形態によりスピーチカプセル解除システムを作り上げるコンポーネントを示す図である。
【図１】
2008503953.tif 000003
【図２】
2008503953.tif 000004
【図３】
2008503953.tif 000005
【図４】
2008503953.tif 000006
【図５】
2008503953.tif 000007
【図６】
2008503953.tif 000008
【図７】
2008503953.tif 000009
【国際調査報告】
2008503953.tif 000010
2008503953.tif 000011
2008503953.tif 000012